(57)【要約】【課題】クッション体１１のフレーム１９に取り付けるための準備に手間取らず、端縁１８から糸条が解れ出さない弾性シートを効率的に得る。【解決手段】コース方向において隣合う経糸の形成する鎖編目がウエール方向に連続して形成して隣合う鎖編目列と鎖編目列の間を挿入糸で連結して編成した経編地を弾性シートに適用する。そのコース方向において向き合う左右両端縁は二重編とし、表地と裏地に挟まれてウエール方向に続く袋状空洞２０を編成する。クッション体のクッション面１２となる本体編部２９の挿入糸２４には弾性糸条を使用する。弾性糸条には、破断伸度６０％以上、１５％伸長後の弾性回復率９０％以上の非扁平断面形状モノフィラメイト弾性糸条を使用するとよい。経編地のウエール密度は、コース方向Ｃにおける本体編部の１０％伸長時の応力Ｆ（単位：Ｎ／５ｃｍ）が１５０≦Ｆ≦６００になるように設定する。【選択図】図１
2006132047.tif 000002
【特許請求の範囲】
【請求項１】
（ａ）  経編地が表地と裏地とに表裏に分かれた二重編部（２５・２６）が、コース方向（Ｃ）において所要の間隔をおいて形成されており、その分かれた表地と裏地の間に、ウエール方向（Ｗ）に続く袋状空洞（２０）が形成されており、
（ｂ）  経編地のコース方向（Ｃ）が、その袋状空洞（２５・２６）によって、左右の耳編部（２７・２８）と、その左右の耳編部の間の本体編部（２９）とに仕切られており、
（ｃ）  本体編部（２９）に弾性糸条が編み込まれており、コース方向（Ｃ）に弾性を有するクッション体張設用弾性経編地。
【請求項２】
（ｄ）  経編地が、コース方向において隣合う経糸（２２・２２）が形成してウエール方向（Ｗ）に続く鎖編目列（２３）と鎖編目列（２３）の間を挿入糸（２４）で連結して編成されており、
（ｅ）  その本体編部（２９）の幅Ｌが２０〜７０ｃｍであり、
（ｆ）  本体編部（２９）の左右の各耳編部（２７・２８）が、３条以上の各隣合う鎖編目列（３１・３２・３３）を挿入糸（３４）で連結して編成されており、
（ｇ）  本体編部（２９）の隣合う鎖編目列（２３）と鎖編目列（２３）の間を連結している挿入糸（２４）が、弾性糸条である前掲請求項１に記載のクッション体張設用弾性経編地。
【請求項３】
（ｈ）  耳編部（２７・２８）の鎖編目列（３１・３２・３３）を形成している何れかの経糸（４１・４２・４３）が、熱融着性糸条である前掲請求項１と請求項２の何れかに記載のクッション体張設用弾性経編地。
【請求項４】
（ｉ）  コース方向（Ｃ）において隣合う経糸がそれぞれ形成する鎖編目がウエール方向（Ｗ）に連続して形成して隣合う鎖編目列と鎖編目列の間を挿入糸で連結して編成される経編地において、
（ｊ）  コース方向（Ｃ）における左右両端部（５１・５３）と、その間の中間部（５２）に、経編地が表地と裏地とに表裏に分かれた二重編部（２０）が形成されており、
（ｋ）  その分かれた表地と裏地の間に、ウエール方向（Ｗ）に続く袋状空洞が形成されており、
（ｌ）  その袋状空洞によって経編地がコース方向（Ｃ）において仕切られており、
（ｍ）  中間部（５２）において経編地を仕切る袋状空洞が、２条１組になっており、
（ｎ）  その中間部（５２）において１組を成す２条の袋状空洞（２５）と袋状空洞（２６）の間が、挿入糸（３４）によって連結された６条以上の鎖編目列（３１・３２・３３）が介在する帯状境界部（３０）を構成しており、
（ｏ）  その帯状境界部（３０）が、前掲請求項１と請求項２と請求項３の何れかに記載の弾性経編地の耳編部（２７・２８）を構成しており、
（ｐ）  前掲請求項１と請求項２と請求項３の何れかに記載の２枚以上の弾性経編地（４０・４０・４０………）が、その帯状境界部（３０）によってコース方向（Ｃ）において仕切られて、ウエール方向（Ｗ）に平行に編成されているクッション体張設用弾性経編地。
【請求項５】
帯状境界部（３０）の６条以上の鎖編目列（３１・３２・３３………）の配列の中の中間部分において隣合う２条の鎖編目列（３３）を連結する挿入糸（３５）が、その他の鎖編目列間を連結する挿入糸（２４・３４）よりも破断し易い低強度の破断性糸条である前掲請求項４に記載のクッション体張設用弾性経編地。
【発明の詳細な説明】
【技術分野】
【０００１】
本発明は、向き合う２本の枠材１３・１３の間に張設してクッション体１１のクッション面１２を構成するために使用される弾性シート１６に関するものである。
【背景技術】
【０００２】
本願出願人は、クッション体に使用する弾性シートとして、熱収縮性弾性糸条を用いた弾性織物を特許出願している（例えば、特許文献１参照）。その特許出願に係る弾性織物には、袋状に二重に織成されたものと、平織によって織成されたものとがあり、袋状に二重に織成されたものでは、その袋状空洞にクッション体のフレーム１９を差し込み、熱収縮してフレーム１９の２本の枠材１３・１３の間で緊張されるようになっており、平織によって織成されたものでは、熱収縮性弾性糸条の長さ方向Ｑにおいて向き合う左右の端縁１８を折り返して袋状空洞２０を縫製し、その袋状空洞２０に枠材１３を差し込んでクッション体のフレーム１９に取り付け、熱収縮してフレーム１９の２本の枠材１３・１３の間で緊張されるようになっている。
【特許文献１】特開２００１−３３３８３９号公報（特許請求の範囲、００１０、００２０、図１、図２）
【０００３】
端縁１８を折り返して縫製した袋状空洞２０に差し込んだ枠材１３は、フック等の接合部材２１によってフレーム１９に連結することも出来、その場合、接合部材２１を差し込むための孔や切れ目が、端縁１８の長さ方向に飛び飛びに袋状空洞２０に設けられる。
弾性糸条としては、鞘成分を熱融着性ポリマーとする熱融着性芯鞘複合糸条も使用され、その熱融着性ポリマーを介して経糸と緯糸が接着されるので、経糸と緯糸の間に目ズレが生じず、使用時にクッション面１２に加わる押圧荷重が弾性織物１６の四方八方に均等に分散される。
【０００４】
弾性糸条は、経糸には使用されず、専ら緯糸に使用されている。何故なら、弾性糸条を経糸に使用しようとしても、製織過程で経糸（弾性糸条）が伸縮して経糸テンションが一定せず、緯糸密度（緯糸打込密度）に大きなバラツキが生じ、品質が安定した弾性織物は得られない。又、弾性糸条は、他の繊維糸条に比して滑り難く、綜絖や筬羽をスムーズに通過せず、経糸（弾性糸条）に擦れ合う綜絖が折れ曲がり易く、経糸（弾性糸条）も綜絖や筬羽に擦られて損傷し易い。
【０００５】
一般に、クッション体のクッション面の縦横の寸法は、概して５０ｃｍ以下である。このため、先願弾性織物を袋状に二重に織成しようとする場合は、そのクッション面１２の寸法に応じた織幅５０ｃｍ以下の小幅の織機が必要となる。しかし、小幅の織機は、和装帯地や手芸織物の分野では使用されているものの一般には広く使用されておらず、一般に使用されている広幅織機に比して製織効率が著しく低い。このため、弾性織物は、織幅１ｍ以上の広幅織機によって製織し、クッション面の寸法に応じて裁断し、弾性糸条（緯糸）の長さ方向Ｑにおいて向き合う左右の端縁１８を折り返して縫合し、その端縁１８に形成される袋状空洞２０に枠材１３を差し込んで使用されることになる。
【発明の開示】
【発明が解決しようとする課題】
【０００６】
弾性糸条（緯糸１４）が、弾性織物の接結点において、経糸１５に押圧されてエンボスが施されたかのように曲折変形すると、使用時にクッション面１２に作用する初期荷重によって弾性糸条が曲折状態から緊張されて直線状態になるまでクッション面１２が大きく沈み、その後に、クッション面１２に作用する押圧荷重に対する反力が弾性糸条１４から作用することになる。その弾性糸条（緯糸１４）が直線状態になるまでのクッション面の初期の沈みは、クッション面の窪みに落ち込んだかのような不快感を与える。
【０００７】
そのような不快感をなくすために、経糸１５には、曲折し易いマルチフィラメント糸や紡績糸を使用し、弾性糸条（緯糸１４）には、曲折し難い太手のモノフィラメント弾性糸条が使用され、経糸１５にモノフィラメント糸を使用する場合には、その経糸１５よりも太いモノフィラメント弾性糸条が緯糸１４に使用される。このため、従来の弾性織物１６は、簾のように経糸１５の長さ方向Ｒには折り畳み易く、緯糸１４の長さ方向Ｑには折り畳み難く、端縁１８に枠材１３を差し込むための袋状空洞２０の縫製に手間取る。
【０００８】
更に、従来の弾性織物１６をクッション体のクッション面１２として長期使用するとき、弾性糸条（緯糸１４）が曲折せず真っ直ぐになって織り込まれているので、クッション面に作用する押圧荷重が、弾性糸条（緯糸１４）の長さ方向Ｑに引っ張る引張荷重となって、袋状空洞の外側の経糸１５と枠材１３の間に繰り返し作用する。このため、その外側の経糸１５は、枠材１３によって端縁１８へと次第に押し出され、ついには、弾性糸条（緯糸）の端末１７から解れ出し、その経糸１５と一緒に枠材１３も袋状空洞２０から外れてしまうと言う不都合が生じる。つまり、見方を変えて言えば、弾性糸条（緯糸）の端末１７が、枠材１３に梳られるように、経糸間（１５）から抜き取られた恰好になる。
【０００９】
そこで本発明は、枠材１３が取り付けられる弾性シート１６の端縁１８からの糸条の解れを防ぎ、耐久性のあるクッション体を得ることを目的とする。本発明の他の目的は、クッション体のフレーム１９に張設する準備作業に手間取らない弾性シート１６を得ることにある。
【課題を解決するための手段】
【００１０】
本発明に係るクッション体張設用弾性経編地は、（ａ）  経編地が表地と裏地とに表裏に分かれた二重編部２５・２６が、コース方向Ｃにおいて所要の間隔をおいて形成されており、その分かれた表地と裏地の間に、ウエール方向Ｗに続く袋状空洞２０が形成されており、
（ｂ）  経編地のコース方向Ｃが、その袋状空洞２５・２６によって、左右の耳編部２７・２８と、その左右の耳編部の間の本体編部２９とに仕切られており、
（ｃ）  本体編部２９に弾性糸条が編み込まれており、コース方向Ｃに弾性を有することを第１の特徴とする。
【００１１】
本発明に係るクッション体張設用弾性経編地の第２の特徴は、上記第１の特徴に加えて、（ｄ）  経編地が、コース方向において隣合う経糸２２・２２が形成してウエール方向Ｗに続く鎖編目列２３と鎖編目列２３の間を挿入糸２４で連結して編成されており、
（ｅ）  その本体編部２９の幅Ｌが２０〜７０ｃｍであり、
（ｆ）  本体編部２９の左右の各耳編部２７・２８が、３条以上の各隣合う鎖編目列３１・３２・３３を挿入糸３４で連結して編成されており、
（ｇ）  本体編部２９の隣合う鎖編目列２３と鎖編目列２３の間を連結している挿入糸２４が、弾性糸条である点にある。
【００１２】
本発明に係るクッション体張設用弾性経編地の第３の特徴は、上記第１と第２の何れかの特徴に加えて、（ｈ）  耳編部２７・２８の鎖編目列３１・３２・３３を形成している何れかの経糸４１・４２・４３が、熱融着性糸条である点にある。
【００１３】
本発明に係るクッション体張設用弾性経編地の第４の特徴は、（ｉ）  コース方向Ｃにおいて隣合う経糸がそれぞれ形成する鎖編目がウエール方向Ｗに連続して形成して隣合う鎖編目列と鎖編目列の間を挿入糸で連結して編成される経編地において、
（ｊ）  コース方向Ｃにおける左右両端部５１・５３と、その間の中間部５２に、経編地が表地と裏地とに表裏に分かれた二重編部（２０）が形成されており、
（ｋ）  その分かれた表地と裏地の間に、ウエール方向Ｗに続く袋状空洞が形成されており、
（ｌ）  その袋状空洞によって経編地がコース方向Ｃにおいて仕切られており、
（ｍ）  中間部５２において経編地を仕切る袋状空洞が、２条１組になっており、
（ｎ）  その中間部５２において１組を成す２条の袋状空洞２５と袋状空洞２６の間が、挿入糸３４によって連結された６条以上の鎖編目列３１・３２・３３が介在する帯状境界部３０を構成しており、
（ｏ）  その帯状境界部３０が、上記第１と第２と第３何れかの特徴を有する弾性経編地の耳編部２７・２８を構成しており、
（ｐ）  上記第１と第２と第３何れかの特徴を有する２枚以上の弾性経編地４０・４０・４０………が、その帯状境界部３０によってコース方向Ｃにおいて仕切られて、ウエール方向Ｗに平行に編成されている点にある。
【００１４】
本発明に係るクッション体張設用弾性経編地の第５の特徴は、上記第４の特徴に加えて、帯状境界部３０の６条以上の鎖編目列３１・３２・３３………の配列の中の中間部分において隣合う２条の鎖編目列（３３）を連結する挿入糸３５が、その他の鎖編目列間を連結する挿入糸２４・３４よりも破断し易い低強度の破断性糸条である点にある。
【発明の効果】
【００１５】
本発明のクッション体張設用弾性経編地の端縁１８が、３条以上の各隣合う鎖編目列３１・３２・３３を挿入糸３４・３５で連結して編成されており、鎖編目列３１・３２・３３と挿入糸３４・３５がコース方向Ｃにおいて引っ掛かり、それらがウエール方向に連続しているので、それらが端縁１８から解れ出すことがなく、耐久性のあるクッション体１１が得られる。端縁１８には、ウエール方向Ｗに続く袋状空洞２５・２６が弾性経編地４０の一部として編成されているので、端縁１８（耳編部２７・２８）を折り返して袋状空洞を縫製する手間が省け、クッション体１１を効率的に得ることが出来る。
【００１６】
本発明のクッション体張設用弾性経編地４０では、その端縁１８を構成する耳編部２７・２８の鎖編目列３１・３２・３３が熱融着性糸条によって構成され、弾性経編地４０を加熱するときは鎖編目列３１・３２・３３が融着して端縁１８が硬く仕上がり、その硬く仕上がった端縁１８（耳編部２７・２８）に袋状空洞２５・２６が支持されるので、袋状空洞２５・２６への枠材１３の差し込み作業が楽になり、又、その差し込み作業の自動化も容易になり、この点でもクッション体１１の生産効率が高まる。
【００１７】
本発明によると、枠材１３を差し込む袋状空洞２５・２６が左右の端縁に編成された複数枚の弾性経編地４０・４０・４０………が、ウエール方向Ｗに平行に編成され、その左右の弾性経編地４０・４０を仕切る帯状境界部３０で裁断してクッション体１１のフレーム１９に取り付けることになるが、その裁断箇所である帯状境界部３０が、鎖編目列３１・３２・３３………を挿入糸３４・３５によって連結して編成され、その構成する鎖編目列３１・３２・３３………が６条以上なので、裁断された挿入糸３５の端末は、何れかの鎖編目列３１・３２・３３………に係止され、その係止する鎖編目列３１・３２・３３………は、裁断口から離れた挿入糸３４によって裁断口から離れた何れかの鎖編目列３１・３２・３３………に係止されることになるで、その裁断口（端縁１８）が解れ出すことがなく、クッション体１１のフレーム１９に取り付けるための弾性経編地４０の準備作業を効率的に行うことが出来る。
【００１８】
そして、帯状境界部３０の６条以上の鎖編目列３１・３２・３３………の配列の中の中間部分において隣合う２条の鎖編目列（３３）を連結する挿入糸３５に、その他の鎖編目列間を連結する挿入糸２４・３４よりも破断し易い低強度の破断性糸条を使用したものでは、複数枚のクッション体張設用弾性経編地４０・４０・４０………がウエール方向Ｗに平行に編成された経編地をコース方向Ｃに引っ張って破断性糸条（３５）を破断し、複数枚のクッション体張設用弾性経編地４０・４０・４０………に切り離すことが出来、特に、破断性糸条が水溶性繊維（ビニロン）に成るものでは、帯状境界部３０を加湿しただけで複数枚のクッション体張設用弾性経編地４０・４０・４０………に切り離すことが出来るので、裁断手間が省け、クッション体１１のフレーム１９に取り付けるための弾性経編地４０の準備の作業効率が一層向上する。
【発明を実施するための最良の形態】
【００１９】
経編機には、ダブルラッシェル経編機を使用し、二重編部２５・２６では、表地をフロントニードルによって編成し、裏地をバックニードルによって編成しつつ、二重編部（２５・２６）と耳編部（２７・２８）との境目、および、二重編部（２５・２６）と本体編部２９との境目において連結糸（図示せず）をそれぞれ編み込み、それぞれ表裏する鎖編目列の鎖編目を経糸２３と連結糸によって編成しつつ、その連結糸を表地の鎖編目列と裏地の鎖編目列との間で往復させ、その連結糸によって表地と裏地の左右両縁を綴じ合わせ、表地と裏地の間に袋状空洞２５・２６（２０）を形成する。
ダブルラッシェル経編機を使用する場合、本体編部２９と耳編部２７・２８とは、表地と裏地が連結糸によって連結された二重経編地としてもよい。
【００２０】
クッション体のクッション面１２となる耳編部２７と耳編部２８の間の本体編部２７の鎖編目列間（２３・２３）を連結する挿入糸２４（弾性糸条）には、破断伸度が６０％以上であり、１５％伸長後の弾性回復率が９０％以上の非扁平断面形状モノフィラメイト弾性糸条、例えば、ポリエーテル系エステルを芯成分ポリマーとし、その芯成分ポリマーよりも低融点の熱融着性ポリマーを鞘成分ポリマーとする熱融着性芯鞘複合ポリエーテル系エステル弾性糸条（５００ｄｔｅｘ−１ｆ、東洋紡績株式会社製品名：ダイヤフローラ）を使用するとよい。弾性経編地のウエール密度は、コース方向Ｃにおける本体編部２９の１０％伸長時の応力Ｆ（単位：Ｎ／５ｃｍ）が１５０≦Ｆ≦６００になるように設定するとよい。
【００２１】
熱融着性糸条は、耳編部２７・２８（帯状境界部３０）を構成する複数状の鎖編目列３１・３２・３３………の一部の鎖編目列を構成する経糸にだけ使用してもよい。その熱融着性糸条には、熱融着性ポリマーを鞘成分とし、高融点の非熱融着性ポリマーを鞘成分とする多数の芯鞘複合繊維になる紡績糸やマルチフイラメント糸を使用するとよい。熱融着性糸条は、熱融着性繊維と非熱融着性繊維との混紡糸や混繊糸であってもよい。
【００２２】
帯状境界部３０の６条以上の鎖編目列３１・３２・３３………の配列の中の中間部分において隣合う２条の鎖編目列（３３）を連結する破断性糸条（挿入糸３５）には、水溶性繊維（ビニロン）を使用するほか、アセテート繊維、レーヨンなどのセルロース系繊維を使用することが推奨されるが、他の鎖編目列間を連結する挿入糸２４・３４と同じ素材の糸条を使用するときは、その他の鎖編目列間を連結する挿入糸２４・３４よりも破断性糸条（挿入糸３５）の繊度を細くする。本体編部２９の幅Ｌは、クッション面１２の寸法に応じて設定される。二重編部２５・２６の幅は、その構成する袋状空洞２０に差し込む枠材１３の太さに応じて設定される。
【図面の簡単な説明】
【００２３】
【図１】本発明に係るクッション体張設用弾性経編地の斜視図である。
【図２】本発明に係るクッション体張設用弾性経編地の要部拡大表面図である。
【図３】従来の弾性シートを張設したクッション体の裏面斜視図であり、一部を円で囲んで拡大して図示している。
【符号の説明】
【００２４】
１１：クッション体
１２：クッション面
１３：枠材
１４：弾性糸条（緯糸）
１５：経糸
１６：弾性織物（弾性シート）
１７：弾性糸条（緯糸）の端末
１８：端縁
１９：フレーム
２０：袋状空洞
２１：接合部材
２２：経糸
２３：鎖編目列
２４：挿入糸
２５・２６：二重編部（袋状空洞）
２７・２８：耳編部
２９：本体編部
３０：境界部
３１・３２・３３：鎖編目列
３４・３５：挿入糸
４０：弾性経編地
４１・４２・４３：経糸
５１：端部
５２：中間部
５３：端部
Ｃ  ：コース方向
Ｑ  ：弾性糸条（緯糸）の長さ方向
Ｒ  ：経糸の長さ方向
Ｗ  ：ウェール方向
【図１】
2006132047.tif 000003
【図２】
2006132047.tif 000004
【図３】
2006132047.tif 000005